(57)【特許請求の範囲】
【請求項１】
裏面下部寄りに下部係止片１３、裏面上部寄りに取付片１４、この取付片１４の上部に受け片１５を有し、表面に太陽電池パネル７が取付けられ建物躯体側に上下方向に取付けられる複数の取付用パネル体１０と、
建物躯体側に取付けた下部受け金具３０，４３，５０と取付金具３５，４８を備え、
前記各取付用パネル体１０の取付片１４が取付金具３５，４８にビス３８でそれぞれ固着され、
上下に隣接した下の取付用パネル体１０の受け片１５に、前記上下に隣接した上の取付用パネル体１０の下部係止片１３が下方に動かないように係止し、
最下部の取付用パネル体１０の下部係止片１３が前記下部受け金具３０，４３，５０に下方に動かないように係止し、
前記上下に隣接した上の取付用パネル体１０の下縁部が、前記上下に隣接した下の取付用パネル体１０の上縁部と重なり合い、その上の取付用パネル体１０の下縁部が前記下の取付用パネル体１０の取付片１４、受け片１５よりも下方に突出し、前記取付金具３５，４８に、最上部の取付用パネル体１０の取付片１４、受け片１５を覆うカバー材３９を取付けたことを特徴とする太陽電池パネルの取付構造。
【請求項２】
上の取付用パネル体１０の下部係止片１３が下の取付用パネル体１０の受け片１５と取付金具３５，４８との間に係止している請求項１記載の太陽電池パネルの取付構造。
【発明の詳細な説明】
【０００１】
【発明の属する技術分野】
本発明は、建物の手摺コンクリート壁部、サンルーム腰壁部、ビル建物のカーテンウオールなどに太陽電池パネルを取付ける構造に関する。
【０００２】
【従来の技術】
太陽電池パネルとしては、例えば特開昭５４−７６３８号公報に示すように２枚の透明ガラスシート間に液状媒体を挿入し、その中に太陽電池を埋込んでシートに接着固定したものが知られている。
【０００３】
このような太陽電池パネルを建物に利用する一例として例えば、特開平７−２０２２３７号公報に示すように、ユニット本体に太陽電池パネルを取付け、そのユニット本体を建物躯体を取付けるようにしたものが知られている。
【０００４】
【発明が解決しようとする課題】
前述の取付構造は、建物躯体にユニット本体を取付け、その縦枠に複数の取付金物を上下方向に間隔を置いて取付け、この各取付金物に各太陽電池パネルのパネル体の中間取付片を係合し、取付片を縦枠に固着したものであり、ユニット本体の建物躯体への取付け作業と、縦枠への複数の取付金物の取付け作業と取付片の固着作業を行なうので取付け作業が面倒である。
【０００５】
また、上下に隣接する太陽電池パネルを所定の間隔とするために複数の取付金物を上下方向に位置決めして取付けるから、その取付金物の取付け作業が大変面倒で時間がかかり、太陽電池パネルの取付け作業効率が悪い取付構造となる。
【０００６】
そこで、本発明は前述の課題を解決できるようにした太陽電池パネルの取付構造を提供することを目的とする。
【０００７】
【課題を解決するための手段】
第１の発明は、裏面下部寄りに下部係止片１３、裏面上部寄りに取付片１４、この取付片１４の上部に受け片１５を有し、表面に太陽電池パネル７が取付けられ建物躯体側に上下方向に取付けられる複数の取付用パネル体１０と、
建物躯体側に取付けた下部受け金具３０，４３，５０と取付金具３５，４８を備え、
前記各取付用パネル体１０の取付片１４が取付金具３５，４８にビス３８でそれぞれ固着され、
上下に隣接した下の取付用パネル体１０の受け片１５に、前記上下に隣接した上の取付用パネル体１０の下部係止片１３が下方に動かないように係止し、
最下部の取付用パネル体１０の下部係止片１３が前記下部受け金具３０，４３，５０に下方に動かないように係止し、
前記上下に隣接した上の取付用パネル体１０の下縁部が、前記上下に隣接した下の取付用パネル体１０の上縁部と重なり合い、その上の取付用パネル体１０の下縁部が前記下の取付用パネル体１０の取付片１４、受け片１５よりも下方に突出し、前記取付金具３５，４８に、最上部の取付用パネル体１０の取付片１４、受け片１５を覆うカバー材３９を取付けたことを特徴とする太陽電池パネルの取付構造である。
【０００９】
第２の発明は、第１の発明において、上の取付用パネル体１０の下部係止片１３が下の取付用パネル体１０の受け片１５と取付金具３５，４８との間に係止している太陽電池パネルの取付構造である。
【００１０】
【作用】
第１の発明によれば、建物躯体側に下部受け金具３０，４３，５０、取付金具３５，４８を取付ける作業と、各取付片１４を取付金具３５，４８に固着する作業を行なえば複数の取付用パネル１０を取付けできる。しかも、建物躯体側に下部受け金具３０，４３，５０、取付金具３５，４８を取付けた状態で、最下部の取付用パネル体１０の下部係止片１３を下部受け金具３０，４３，５０に下方に移動しないように係止し、かつ取付片１４を取付金具３５，４８にビス３８で固着し、その後に次の取付用パネル体１０の下部係止片１３を先の取付用パネル体１０の受け片１５に係止し、かつ取付片１４を取付金具３５，４８に３８でビス固着し、以下同様に下から上に順次取付用パネル体１０を取付けることができる。
【００１１】
このようであるから、太陽電池パネル７を取付用パネル体１０とともに下から上に順次取付けできるし、取付用パネル体１０の下部を下方に移動しないように支持した状態で取付片１４をビス止めでき、太陽電池パネル７を上下方向に位置決めして簡単な作業で取付けできる。
【００１２】
また、上下に隣接した上の取付用パネル体１０の下縁部によって、下の取付用パネル体１０の取付片１４、受け片１５、下部係止片１３、ビス３８が外部から見えないから、外観が見栄えよい。
【００１３】
第２の発明によれば、下部係止片１３が受け片１５と取付金具３５，４８との間に係止しているから、取付用パネル体１０の下部が室内・室外側方向に動かないように支持され、太陽電池パネル７を取付用パネル１０を介して強固に取付けできる。
【００１４】
【発明の実施の形態】
図１は建物の外観図であり、ベランダ１部分に手摺２が取付けてあり、この手摺２と連続してサンルーム３が取付けてある。前記手摺２は手摺コンクリート壁部４の上縁部に手摺部５を設けたもので、その手摺コンクリート壁部４の室外側面には凹部６が形成してあり、その凹部６に複数の太陽電池パネル７が取付けてある。
【００１５】
前記サンルーム３は窓部８と腰壁部９を有し、その腰壁部９に太陽電池パネル７が複数取付けてある。
【００１６】
前記太陽電池パネル７は図２と図３に示すように、アルミ押出形材の取付用パネル体１０の表面に取付けてある。この取付用パネル体１０は縦板１１の表面下縁部に鉤形の下部支持片１２を備え、縦板１１の裏面下部寄りに下部係止片１３を備え、縦板１１の上縁部に取付片１４を備え、その取付片１４の上部に受け片１５を備え、縦板１１の表面上部寄りに押え片１６がビス１７で固着されている。
【００１７】
前記縦板１１の裏面（室内側面）にはビスホール１８が上下方向に間隔を置いて複数備え、図４に示すように縦板１１の左右端面に縦カバー１９をビスホール１８に螺合したビス２０でそれぞれ取付けてある。
【００１８】
前記取付用パネル体１０は太陽電池パネル７とほぼ同一大きさで、室内外側方向の寸法が小さい。
【００１９】
前記下部支持片１２は横片１２ａと縦片１２ｂで鉤形で、縦板１１の表面とで上向の支持凹部２１を形成している。前記下部係止片１３は横片１３ａと下向片１３ｂで縦板１１の裏面に向う下向き鉤形の支持面２２を有している。前記取付片１４は横片１４ａと縦片１４ｂでＬ字状で、その縦片１４ｂに孔２３が形成してある。前記受け片１５は横片１５ａと上向片１５ｂでＬ字状で、室内側に向う上向き鉤形の受け面２４を有している。縦板１１には、太陽電池パネル７の裏面に取付けた電力を取り出すための端子ボックス２５が挿通する開口部２６が形成してある。なお、端子ボックス２５は縦板１１の裏面側に接着等で取付けても良い。
【００２０】
押え片１６を外した状態で端子ボックス２５を開口部２６に挿通しながら太陽電池パネル７の下端部を支持凹部２１に嵌め込み、押え片１６を取付けて上縁部を押え片１６で押えて太陽電池パネル７が取付用パネル体１０の表面（室外側面）に取付けてある。
【００２１】
図２、図３に示すように、手摺コンクリート壁部４の凹部６（つまり、建物躯体側）における下部に下部受け金具３０が埋め込みボルト等で固着してある。この下部受け金具３０はＬ字状の第１受け金具３１にＬ字状の第２受け金具３２をボルト３３で連結してある。その第２受け金具３２の立上り片３４に最下部の取付用パネル体１０の下部係止片１３の支持面２２が係止し、下方及び室外側に動かないように支持する。
【００２２】
凹部６には複数の取付金具３５が左右方向に間隔を置いて縦向きに固着してある。この取付金具３５は第１取付金具３６に第２取付金具３７を連結したもので、例えば端子ボックス２５と干渉しないように図１に点線で示すように左右の隣接した各取付用パネル体１０間に位置してそれぞれ取付けてある。
【００２３】
取付片１４の縦片１４ｂが第２取付金具３７にビス３８で固着され、最下部の取付用パネル体１０は垂直に対して下部が上部よりも室外側となるように斜めに取付けられる。
【００２４】
最下部の取付用パネル体１０の受け片１５の横片１５ａに次の取付用パネル体１０の下部係止片１３の縦片１３ｂが当接し、かつ横片１３ａが第２取付金具３７に当接して縦片１３ｂが上向片１５ｂに当接する。つまり、下部係止片１３を第２取付金具３７に沿って落し込むことで下部係止片１３が受け片１５と第２取付金具３７との間に係止し、室内側方向と室外側方向に動かないし、その作業が容易である。
【００２５】
前述のようにして取付用パネル体１０を下から上に順次取付け、最上部の取付用パネル体１０の上縁部をカバー材３９で覆って取付片１４、受け片１５、ビス３８が外部から見えないようにする。
【００２６】
上下に隣接する一対の取付用パネル体１０は上縁部と下縁部が重なり合って取付片１４、受け片１５、ビス３８、ビス１７が外部から見えないようにしてある。
【００２７】
前述のようであるから、太陽電池パネル７から取付部までの室内外側方向の寸法が小さく、手摺コンクリート壁部４の凹部６などの室内外側方向の寸法の小さな場所に取付けても太陽電池パネル７が手摺コンクリート壁部４から室外側に大きく突出しない。
【００２８】
特に、左右の取付用金具３５間に端子ボックス２５が位置して端子ボックス２５が取付用金具３５に干渉しないから、前述の室内外側方向の寸法がより一層小さくなる。
【００２９】
また、取付用パネル体１０は太陽電池パネル７とほぼ同一大きさで、取付片１４、受け片１５が上の取付用パネル体１０の下縁裏面側に突出しているから、前述の手摺コンクリート壁部４の凹部６などに複数の太陽電池パネル７を簡単に取付けできる。
【００３０】
図５に示すように、腰壁部９を形成する下横材４０は引き違い窓の下枠と同様な形状の本体４１とアタッチメント４２を備え、そのアタッチメント４２の室外側面に下部受け金具４３がビス４４で固着してある。窓部８の下枠４５は本体４６とアタッチメント４７を備え、このアタッチメント４７（つまり、建物躯体側）と前記アタッチメント４２（つまり、建物躯体側）とに亘って取付金具４８が左右方向に間隔を置いて縦向きに取付けてあり、この取付金具４８と端子ボックス２５が干渉しないようにしてある。例えば図１に点線で示すように左右に隣接した太陽電池パネル７間にそれぞれ取付けてある。
【００３１】
太陽電池パネル７を取付けた最下部の取付用パネル１０の下部係止片１３が下部受け金具４３に係合し、その取付片１４が取付金具４８にビス３８で固着してある。次の取付用パネル１０の下部係止片１３が受け片１５に係止され、以下順次下から上に向けて取付用パネル１０が取付けてある。
【００３２】
前記対向したアタッチメント４２とアタッチメント４７の室内側面部間に断熱パネル４９が取付けてある。断熱パネル４９の代りに耐火ボードを取付けても良い。
【００３３】
図６は手摺コンクリート壁部４に太陽電池パネルを取付ける他の実施の形態を示し、取付金物３５の第２取付金具３７の下部寄りに下部受け金具５０が取付けてある。この下部受け金具５０は縦片５１と鉤片５２でクランク形状で、その縦片５１が第２取付金具３７にビス５３で固着してある。
【００３４】
手摺コンクリート壁部４の凹部６下方位置に水切り５４が取付けてある。この水切り５４は斜めの上横片５５と縦片５６と下横片５７でほぼコ字条で、その縦片５６が取付用パネル体１０の室外面よりも室外に突出している。
【００３５】
このようであるから、火災時に下から上に向う火炎が水切り５４に当って取付用パネル体１０、太陽電池パネル７に直接当ることがなく、太陽電池パネル７が燃えることを防止できる。
【００３６】
【発明の効果】
請求項１に係る発明によれば、建物躯体側に下部受け金具３０，４３，５０、取付金具３５，４８を取付ける作業と、各取付片１４を取付金具３５，４８に固着する作業を行なえば複数の取付用パネル１０を取付けできる。しかも、建物躯体側に下部受け金具３０，４３，５０、取付金具３５，４８を取付けた状態で、最下部の取付用パネル体１０の下部係止片１３を下部受け金具３０，４３，５０に下方に移動しないように係止し、かつ取付片１４を取付金具３５，４８にビス３８で固着し、その後に次の取付用パネル体１０の下部係止片１３を先の取付用パネル体１０の受け片１５に係止し、かつ取付片１４を取付金具３５，４８に３８でビス固着し、以下同様に下から上に順次取付用パネル体１０を取付けることができる。
【００３７】
このようであるから、太陽電池パネル７を取付用パネル体１０とともに下から上に順次取付けできるし、取付用パネル体１０の下部を下方に移動しないように支持した状態で取付片１４をビス止めでき、太陽電池パネル７を上下方向に位置決めして簡単な作業で取付けできる。
【００３８】
また、上下に隣接した上の取付用パネル体１０の下縁部によって、下の取付用パネル体１０の取付片１４、受け片１５、下部係止片１３、ビス３８が外部から見えないから、外観が見栄えよい。
【００３９】
請求項２に係る発明によれば、下部係止片１３が受け片１５と取付金具３５，４８との間に係止しているから、取付用パネル体１０の下部が室内・室外側方向に動かないように支持され、太陽電池パネル７を取付用パネル１０を介して強固に取付けできる。
【図面の簡単な説明】
【図１】建物の外観図である。
【図２】図１のＡ−Ａ断面図である。
【図３】図２の下部の拡大図である。
【図４】取付用パネル体の側面図である。
【図５】図１のＢ−Ｂ断面図である。
【図６】手摺コンクリート壁部に太陽電池パネルを取付ける他の実施の形態を示す断面図である。
【符号の説明】
２…手摺
３…サンルーム
４…手摺コンクリート壁部
６…凹部
７…太陽電池パネル
８…窓部
９…腰壁部
１０…取付用パネル体
１１…縦板
１２…下部支持片
１３…下部係止片
１４…取付片
１５…受け片
１６…押え片
３０…下部受け金具
３１…第１下部受け金具
３２…第２下部受け金具
３５…取付金具
３６…第１取付金具
３７…第２取付金具
３８…ビス
３９…カバー材
４０…下横材
４３…下部受け金具
４５…下枠
４８…取付金具
５０…下部受け金具
５４…水切り
【図１】
0003689834.tif 000002
【図２】
0003689834.tif 000003
【図３】
0003689834.tif 000004
【図４】
0003689834.tif 000005
【図５】
0003689834.tif 000006
【図６】
0003689834.tif 000007